(57)【要約】  １つ又は複数の靴紐２、３；１６を備えるフットウェア１の紐掛けシステムが開示される。アッパー１２の各縁部には２つの把持点があり、把持点のうちの一方７（２）、７（３）；１７は、アッパーの上記縁部に締結され、靴１の開放を達成しやすくなっており、もう一方６（２）、６（３）は、上記アッパー１２の反対側の縁部に締結され、フットウェア１の閉鎖を達成しやすくなっている。【選択図】図１Ａ
2017523897.tif 000002
【特許請求の範囲】
【請求項１】
フットウェア（１）の紐掛けシステムであって、アッパー（１２）の各縁部において、互いに交差する２つの把持点が存在し、該２つの把持点のうちの一方（７（２）、７（３）；１７）は前記アッパーの縁部に締結され、前記フットウェア（１）の開放を達成しやすくなっており、もう一方（６（２）、６（３））は前記アッパー（１２）の反対側の縁部に締結され、前記フットウェア（１）の閉鎖を達成しやすくなっていることを特徴とする、フットウェア（１）の紐掛けシステム。
【請求項２】
前記フットウェア（１）の閉鎖は、各靴紐（２、３）の一端部（６）を、まず前記アッパー（１２）にある１つのアイレット（１３）に通してから同じ靴紐（２、３）にあるスリット（５Ａ）に通し、前記靴紐（２、３）の他方の端部（７）を反対側に送ることによって達成されることと、前記アッパー（１２）の前記縁部にある前記把持点は、前記靴紐（２、３）の前記端部（７（２）、６（３）；７（３）、６（２））であることとを特徴とする、請求項１に記載のフットウェア（１）の紐掛けシステム。
【請求項３】
少なくとも一方の靴紐（２、３）は、別の靴紐（３、２）の前記端部（６（３）、６（２））が通りやすい第２のスリット（５）を有し、したがって、前記端部（６（２）、６（３））は、前記靴紐（３、２）の前記スリット（５Ａ）に通されることを特徴とする、請求項２に記載のフットウェア（１）の紐掛けシステム。
【請求項４】
少なくとも１つの締結部品（８）であって、前記アッパー（１２）の各縁部に締結され、前記靴紐（２、３）の本体にある穴（４）と係合しやすくなっており、靴紐（２、３）とアッパー（１２）との間の摺動を係止する、少なくとも１つの締結部品（８）を更に備えることを特徴とする、請求項２又は３に記載の紐掛けシステム。
【請求項５】
締結部品（８）であって、少なくとも一方の靴紐（２、３）に締結され、少なくとも一方の靴紐（２、３）又は前記アッパー（１２）にある穴（４、３１）と係合しやすくなっており、靴紐（２、３）とアッパー（１２）との間の摺動を係止する、締結部品（８）を更に備えることを特徴とする、請求項２又は３に記載のフットウェア（１）の紐掛けシステム。
【請求項６】
アイレット（１３）に通された前記靴紐の一端部は、前記アッパーの同じ縁部にある、前記アイレット（１３）に隣接する第２のアイレット（１４）にも通されることを特徴とする、請求項２〜５のいずれか１項に記載の紐掛けシステム。
【請求項７】
一方の靴紐（３）の端部が、２つの前記縁部のうちのいずれか一方の縁部のアイレット（１３）に内側から外側へ通され、次に、他方の縁部において、前記靴紐（３）のヘッドが、前記靴紐（３）のスリット（５）に通され、別の靴紐（１６）の前記端部が、まず前記アイレット（１３）に内側から外側へ通され、次に、前記靴紐のヘッドが、同じ靴紐（１６）の前記スリット（５）に通され、それから第３の靴紐（２）が用いられて、該第３の靴紐（２）の一端部が、一方の縁部のアイレット（１５）に通してから反対側の縁部の別のアイレット（１４）に通され、それから前記一方の縁部の第３のアイレット（１３）に通した後、前記第１の靴紐（３）の前記スリット（５Ａ）及び前記第２の靴紐（１６）の前記スリット（５Ａ）に通され、他方の端部が、前記一方の縁部とは反対側の前記縁部のアイレット（１５）に通してから前記一方の縁部の別のアイレット（１４）に通され、それから前記一方の縁部とは反対側の前記縁部の第３のアイレット（１３）に通した後、前記第２の靴紐（１６）の前記スリット（５Ａ）及び前記第１の靴紐（３）の前記スリット（５Ａ）に通され、前記アッパー（１２）又は前記靴紐（２、３、１６）のうちの少なくとも１つにある係止部品（８）によって、前記靴紐（２、３、１６）の張力の固定が得られることを特徴とする、請求項１に記載の紐掛けシステム。
【請求項８】
前記把持点は、靴紐（２、３）が通される２つの部品（２８）であって、各部品は、個々の靴紐（２、３）に締結され、他方の靴紐（３、２）は該部品内で自由に摺動する、２つの部品（２８）と、２つの部品（２９）であって、各部品は、他方の前記部品（２８）から自由なままの個々の靴紐（３、２）に締結され、他方の前記部品（２８）に締結されている前記靴紐（２、３）は、該部品の内側で自由に摺動する、２つの部品（２９）とからなることを特徴とする、請求項１〜７のいずれか１項に記載の紐掛けシステム。
【請求項９】
前記靴紐のうちの各靴紐の一端部には、ギザギザ状の領域（３０）であって、前記部品（２８）のうちの少なくとも１つとともにラチェット歯車を形成しやすくなっており、それにより係止を達成する、ギザギザ状の領域（３０）を有することを特徴とする、請求項２、３、６、７及び８のいずれか１項に記載の紐掛けシステム。
【請求項１０】
各縁部における前記把持点は、このような縁部に留められる部品（１７）であって、反対側の縁部に留められる靴紐（２）の一端部（６（２））を通すチャネル（１８、１９）を有し、差し込み後に前記靴紐（２）の前記端部と形状結合しやすくなっている、部品（１７）と、前記靴紐の前記端部（６（２））とからなることを特徴とする、請求項１に記載の紐掛けシステム。
【請求項１１】
前記部品（１７）は、靴紐（２）が通りやすい、好ましくは筒状の部材（１８）及び部材（１９）からなることを特徴とする、請求項１０に記載の紐掛けシステム。
【請求項１２】
前記部品（１７）は、該部品（１７）を靴のアッパーに留めるために、好ましくは円い冠形の部材（２０）及び部材（２１）も備えることを特徴とする、請求項１０又は１１に記載の紐掛けシステム。
【請求項１３】
前記靴（１）の前記アッパー（１２）とは反対側の部材（１８）の前記端部には、把持部材（２２）が設けられることを特徴とする、請求項１０〜１２のいずれか１項に記載の紐掛けシステム。
【請求項１４】
前記紐掛けシステムには、周縁溝を備える円盤の形状であることが好ましい部材（２３）であって、部材（２１）にしっかりと締結される、部材（２３）も設けられることと、前記部材（２３）は、その中心に、部材（１９及び１８）と位置合わせされる貫通穴（２４）であって、靴紐（２）の進入並びに部材（１９）及び次に部材（１８）内への通過を可能にし、前記靴紐（２）の経路を逸らす機能を有する、貫通穴（２４）を有することとを特徴とする、請求項１０〜１３のいずれか１項に記載の紐掛けシステム。
【請求項１５】
前記部品（２３）には、前記部材（２１）の表面に締結されるリング（２５）も連結され、該リング（２５）は、靴紐（２）を案内する役割を果たすことを特徴とする、請求項１４に記載の紐掛けシステム。
【請求項１６】
部材（１８）は、少なくとも１つの歯付き溝（２６）と、ねじ、カム又はばねピストンの挿入を可能にする、好ましくはねじ付きの穴（２７）とを有することを特徴とする、請求項１０〜１５のいずれか１項に記載の紐掛けシステム。
【請求項１７】
フットウェア（１）であって、請求項１〜１６のうちのいずれか１項に記載の紐掛けシステムを備えることを特徴とする、フットウェア。
【発明の詳細な説明】
【技術分野】
【０００１】
本発明は、靴の紐掛けシステム及びこの紐掛けシステムを伴って製造される靴に関する。
【背景技術】
【０００２】
フットウェアの足への密着性を保証する最も普及したシステムは、靴紐を利用するものである。靴紐は、通常は交差しながら、アッパーの縁部に実施されている複数のアイレット（穴）を通り、緩められた場合は靴を脱ぐことを可能にし、締められた場合は靴を密着させ、安全かつ快適な状態で靴が脱げることなく歩行することを可能にする。そのため、結び目を作ることによって、靴紐は所望の張力状態に係止される。一般に、靴紐は、細い革紐又は伸縮性若しくは非伸縮性の繊維布テープから作製され、ほつれを防止するとともに靴紐をアイレットに挿し込むのを容易にする役割を果たす「アグレット（aglet）」と呼ばれるプラスチック又は金属強化領域で終端する。最も一般的な靴紐の通し方は「交差型（crossed）」と呼ばれ、ここでは、靴紐の両方の端部が、１つのアイレットからその反対側の上方のアイレットに通される。靴紐を係止することができる結び目には様々なものがある。最も実施される結び目には、クラシックノット（蝶結び）又はダブルノットがある。最後に、紐掛けを緩めるためには、結び目を解き、両方の縁部を靴に対して外側へ、互いに反対の方向へ引っ張ることが必要であることを強調しておく。結び目を用いる靴紐の従来の紐掛けは、主に、手間がかかること、紐掛け作業（靴を緩めるために必要な作業とはかなり異なる）において結び目を作ることの実用性の低さ（子ども及び高齢者に限らず困難である）という明らかに重大な欠点を呈しており、別の重大な欠点は、短い耐久性（結び目が緩みやすく、望まれない場合にも頻繁に緩む）であり、これには、歩行中に靴紐を踏んで転んだ人が怪我をすることに関連するリスクが伴う。
【０００３】
現在、他の紐掛けシステムが市場で普及しているが、これは上記で列挙した欠点を解決していない。これらの中には、足を靴に拘束するのに必要な張力を保証するための、２つの対向するアイレット間で伸張される弾性のある紐の別個のセグメントの集成体を提供するシステムがある（ＵＬＡＣＥ（商標））。このようなシステムは、クラシックノットを排除することでこれに関連する欠点を排除しているが、紐セグメントの弾性のみによって作用を及ぼすことから、靴の足への安定な密着を達成することができず、実際に、靴は、紐掛けに働きかけることなく脱ぎ履きされ得ることを強調しておく。さらに、最後のアイレットに対応する靴の各縁部の内側部分において紐の端部を係止するために、紐の端部が係止されるまで紐が通される１対のプラスチックプレートを備える紐掛けシステム（ＬＡＣＥ  ＡＮＣＨＯＲＳ（商標））が市場に存在する。このようなシステムは、クラシックノットを排除することでこれに関連する欠点を排除しているが、靴の足への安定な密着を達成することができず、実際にこの場合も、靴は、紐掛けに働きかけることなく脱ぎ履きされ得る。市場に存在する他のシステムは、まず紐端部を繋ぎ合わせ、次に紐端部をピストン及びばねが設けられた部品に挿入し（片方の手でピストンを保持し、他方の手で紐端部を引っ張る）、この部品は、解放されると紐の摺動を係止し、最終的に紐端部が紐掛けの上方で（ＬＯＣＫ  ＬＡＣＥＳ（商標）、ＹＡＮＫＺ（商標））又は足首の周りで（ＴＡＣ  ＬＡＣＥ（商標））まとめられて留められる。このようなシステムは、クラシックノットを排除することでこれに関連する欠点を排除しているが、その締め及び開放を達成するために行う作業は即座に行われるものではなく、むしろおそらく従来の蝶結びよりも更に困難であり、実際、締めるためには、従来の紐掛けにおいて単一の紐を締めるのに必要な標準的な力の約２倍に等しいかなりの力を、繋ぎ合わされた紐の２つの端部に加える必要がある（子ども及び高齢者に限らず困難な作業である）。さらに、ここで確定される締めは十分に有効ではない。実際、各紐端部は紐掛け経路の約半分のところで張力がかけられることと、経路によって緩み方が異なる可能性が高いこととを想定すると、双方の個々の端部に同時に力を加えた場合には可能であるように、紐の繋ぎ合わされた端部に働きかけ、ひいては双方の端部に同じ力を加えることによって、双方の経路に有効に張力をかけることが可能でないことが明らかである。現在市場に出回っている紐掛けシステムについて調査を行ったが、単純な即座の動作によって、靴を足に密着させるように有効かつ確実に締めることと、同じ単純な動作によって靴の締めを有効に緩めることとを可能にするシステムは存在しないようである。
【０００４】
特許文献１は、紐及び一連の締結フックを含む、靴の紐掛けにおける張力を調整する構造に関する。紐は、その表面に、締結フックと係合する複数の開口を有する。フックを紐にある穴に適切に挿入することで、紐の張力を調整するとともに紐自体を固定することが提示されている。しかしながら、このシステムでは、フックは、紐部分にかかる張力を維持する役割しか果たさず、靴を閉鎖する役割は果たさない。靴の閉鎖は、古典的な蝶結びで紐端部を縛ることによって従来の方法で行われる。
【０００５】
特許文献２は、靴紐が受ける移動及び応力にも関わらず、緩みにくい靴紐を開示している。この靴紐は、その表面に、一定の間隔を置いて配置されている一連の穴を有する。紐の先端は、概ね剛性であり、穴に滑り込むことが可能なサイズであり、不可避の足の動きを受けてもほどけないＸ字形の縛り目を作る。しかしながら、このような紐掛けシステムは、ほどき方が複雑であり、また、常に確実に所望の張力状態を維持するわけではない。さらに、紐が同じ動作によって開閉され得るとは示されていない。
【０００６】
特許文献３は、紐に係合する２つのカムからなる、紐の係止システムを開示している。係止効果を増大するために、紐には、カムにある歯と係合するように溝を付けることができる。
【０００７】
特許文献４は、アッパーに取外し可能に締結され得る、各紐端部用の把持部材を備える靴閉鎖システムを開示している。そのような把持部材をアッパーに結合することにより、靴の紐掛けが達成され、そのような把持部材を取り外すことにより、靴が緩められる。
【０００８】
特許文献５は、靴の開口部に締結されるゴム部材を備えるとともに、開口の結合縁部に対して横方向かつ略平行に延在する紐受け開口を有する、ゴム部材上のヘッドを備える、靴紐用のアイレットを開示している。靴の開閉が同じ動作によって達成され得ることは言及されていない。
【０００９】
特許文献６は、片側に係止用側方変位部を有するアイレットを開示している。この変位部は、靴の閉鎖フラップの縁部と、アイレットの他方の側との間に構成されている。この変位部は、アイレットの単一の点に配置されたピンのようなものである。この変位部は、紐を受けて、紐の張力を調整した後は動かないように紐を係止し得る。ここでも、靴の開閉のための単一の動作に関しては言及がない。
【００１０】
特許文献７は、基部部材と、様々な形状、サイズ、飾りを有し、基部から取り外すことができる外側リングとを伴う、アイレットの外側リングアセンブリを開示している。基部又はリングに締結しやすい手段が設けられている。これらの手段は、アイレットの穴から部分的に又は完全に突出する。各リングは、係止部材を挿入するための溝設計を有し得る。この場合も、単一の動作で靴を開閉し得ることは言及されていない。
【００１１】
特許文献８は、チャネルに連通する入口と出口とを有する本体を備える、靴において紐を係止する部品を開示している。紐は入口に挿入され、チャネルを通って最終的に出口に達する。紐把持手段及び紐係止手段が設けられ、このような手段は、チャネルから出た後でアッパーに締結される。
【先行技術文献】
【特許文献】
【００１２】
【特許文献１】米国特許出願公開第２００８／００１６６６１号
【特許文献２】国際公開第２００４／０７５６７６号
【特許文献３】英国特許第２３３４６６１号
【特許文献４】独国特許第２２８６０１号
【特許文献５】米国特許第１３８１９４９号
【特許文献６】米国特許第１４３４７２３号
【特許文献７】米国特許出願公開第２０１１／１０７６１９号
【特許文献８】英国特許第２４１３３５６号
【発明の概要】
【発明が解決しようとする課題】
【００１３】
本発明の目的は、同じ単純な即座の動作によって、靴を足に密着させるように有効、迅速かつ確実に締めることと、その締めを有効かつ迅速に緩めることとの双方を可能にするフットウェア紐掛けシステムを達成することである。特に、本発明は、双方の場合で同じ動作を行うこと、すなわち外側に引っ張ることで、靴の締め及び開放を達成することを可能にする。靴を締めるのと緩めるのとで同じ単純な動作を行うことが、子ども及び高齢者に限らず（これらの使用者にとって本発明が特に重要ではあるが）、靴を履くか又は脱ぐことにおける重要な利点及び高い有用性をいかに示すかを強調しておく。
【課題を解決するための手段】
【００１４】
本発明の目的は、アッパーの各縁部において、互いに交差する２つの把持点が存在し、この２つの把持点のうちの一方は、アッパーの上記縁部に締結され、靴の開放を達成しやすくなっており、もう一方は、上記アッパーの反対側の縁部に締結され、靴の閉鎖を達成しやすくなっていることを特徴とする、靴の紐掛けシステムによって達成される。
【００１５】
本発明の目的である紐掛けシステムは、あらゆるタイプのフットウェア（靴、ブーツ等）に使用することができ、原理的には、多くの他の衣服（コート、ジャケット等）のための紐掛け方法とすることもできる。本発明は、上述した上記紐掛けシステムを伴って製造されるフットウェアにも関する。
【００１６】
本発明の更なる特徴及び利点は、男性用フットウェアの非限定的な事例に関する単なる一例として本発明の好ましい実施形態を示す添付図面と併せて、以下の記載からより明らかとなろう。
【図面の簡単な説明】
【００１７】
【図１Ａ】本発明の主題の紐掛けシステムの第１の実施形態に係るフットウェアの正面概略図である。
【図１Ｂ】本発明の主題の紐掛けシステムの第１の実施形態に係るフットウェアの正面概略図である。
【図１Ｃ】本発明の主題の紐掛けシステムの第１の実施形態に係るフットウェアの正面概略図である。
【図２Ａ】本発明に係る紐掛けシステムの靴紐の上面図である。
【図２Ｂ】本発明に係る紐掛けシステムの靴紐の上面図である。
【図２Ｃ】本発明に係る紐掛けシステムの靴紐の上面図である。
【図２Ｄ】本発明に係る紐掛けシステムの靴紐の上面図である。
【図３Ａ】本発明に係る紐掛けシステムの一実施形態において取り付けられる、靴紐−アッパー間又は靴紐−靴紐間の摺動を係止又は係止解除する部品を示す図である。
【図３Ｂ】本発明に係る紐掛けシステムの一実施形態において取り付けられる、靴紐−アッパー間又は靴紐−靴紐間の摺動を係止又は係止解除する部品を示す図である。
【図３Ｃ】本発明に係る紐掛けシステムの一実施形態において取り付けられる、靴紐−アッパー間又は靴紐−靴紐間の摺動を係止又は係止解除する部品を示す図である。
【図４Ａ】本発明の主題の紐掛けシステムの第１の実施形態の第１の変形形態を示す図である。
【図４Ｂ】本発明の主題の紐掛けシステムの第１の実施形態の第１の変形形態を示す図である。
【図４Ｃ】本発明の主題の紐掛けシステムの第１の実施形態の第１の変形形態を示す図である。
【図４Ｄ】本発明の主題の紐掛けシステムの第１の実施形態の第１の変形形態を示す図である。
【図４Ｅ】本発明の主題の紐掛けシステムの第１の実施形態の第１の変形形態を示す図である。
【図５Ａ】本発明の主題の紐掛けシステムの第１の実施形態の第２の変形形態を示す図である。
【図５Ｂ】本発明の主題の紐掛けシステムの第１の実施形態の第２の変形形態を示す図である。
【図５Ｃ】本発明の主題の紐掛けシステムの第１の実施形態の第２の変形形態を示す図である。
【図５Ｄ】本発明の主題の紐掛けシステムの第１の実施形態の第２の変形形態を示す図である。
【図５Ｅ】本発明の主題の紐掛けシステムの第１の実施形態の第２の変形形態を示す図である。
【図６Ａ】本発明の主題の紐掛けシステムの第１の実施形態の第３の変形形態を示す図である。
【図６Ｂ】本発明の主題の紐掛けシステムの第１の実施形態の第３の変形形態を示す図である。
【図６Ｃ】本発明の主題の紐掛けシステムの第１の実施形態の第３の変形形態を示す図である。
【図７Ａ】本発明の第１の実施形態の第４の変形形態を概略的に示す図である。
【図７Ｂ】本発明の第１の実施形態の第４の変形形態を概略的に示す図である。
【図７Ｃ】本発明の第１の実施形態の第４の変形形態を概略的に示す図である。
【図８Ａ】第１の実施形態の第５の変形形態を示す図である。
【図８Ｂ】第１の実施形態の第５の変形形態を示す図である。
【図９Ａ】本発明の第２の実施形態に係るフットウェアの正面概略図である。
【図９Ｂ】本発明の第２の実施形態に係るフットウェアの正面概略図である。
【図９Ｃ】本発明の第２の実施形態に係るフットウェアの正面概略図である。
【図１０Ａ】本発明の第２の実施形態に基づく、アッパーに締結され、靴紐の端部と形状結合によって係合しやすい部品の断面図である。
【図１０Ｂ】本発明の第２の実施形態に基づく、アッパーに締結され、靴紐の端部と形状結合によって係合しやすい部品の断面図である。
【図１０Ｃ】本発明の第２の実施形態に基づく、アッパーに締結され、靴紐の端部と形状結合によって係合しやすい部品の断面図である。
【図１０Ｄ】本発明の第２の実施形態に基づく、アッパーに締結され、靴紐の端部と形状結合によって係合しやすい部品の断面図である。
【図１０Ｅ】本発明の第２の実施形態に基づく、アッパーに締結され、靴紐の端部と形状結合によって係合しやすい部品の断面図である。
【図１１Ａ】図１０Ａ、図１０Ｂ、図１０Ｃ、図１０Ｄ、図１０Ｅと同様であるが、一変形形態を示す図である。
【図１１Ｂ】図１０Ａ、図１０Ｂ、図１０Ｃ、図１０Ｄ、図１０Ｅと同様であるが、一変形形態を示す図である。
【図１１Ｃ】図１０Ａ、図１０Ｂ、図１０Ｃ、図１０Ｄ、図１０Ｅと同様であるが、一変形形態を示す図である。
【図１２Ａ】本発明の第２の実施形態の一変形形態を示す図である。
【図１２Ｂ】本発明の第２の実施形態の一変形形態を示す図である。
【図１２Ｃ】本発明の第２の実施形態の一変形形態を示す図である。
【図１３】本発明の第２の実施形態の別の変形形態を示す図である。
【図１４】本発明の第２の実施形態の更なる変形形態を示す図である。
【発明を実施するための形態】
【００１８】
図１Ａ〜図１Ｃでは、本発明に係る靴紐を備える靴１が、概略正面図において示されている。靴紐２の端部６（２）、７（２）及び靴紐３の端部６（３）、７（３）が強調されている。図１Ａは、着用状態の靴１を示しており、図１Ｂには、緩めステップ中の靴１が示されており、図１Ｃには、紐締めステップ中の靴１が示されている。
【００１９】
図２Ａ〜図２Ｄでは、本発明の主題の紐掛けシステムに使用され、本発明の主題の紐掛けシステムを規定する靴紐２及び３が示されている。靴紐２は、同じ靴紐２内に少なくとも１つの穴４及び少なくとも１つのスリット（図２Ａ〜図２Ｄでは、２つのスリット５及び５Ａがそれぞれ示されている）の存在を特徴とする。スリットは、靴紐をアッパーに締結するように靴紐の本体の進入を可能にし、それにより本発明の主題の紐掛けシステムを達成する（５Ａ）か、又は別の靴紐の進入を可能にする（５）。少なくとも１つの穴４は、靴紐の伸張状態を係止及び係止解除するのに有用な、靴紐を綴じる締結部品を取り付けるのに用いられ、少なくとも１つのスリット５Ａ、５は、靴紐の端部及び他の靴紐の端部をそれぞれ同じ靴紐に挿し込むことを可能にするのに用いられる。本発明の主題の紐掛けシステムにおいて利用される靴紐２及び３は、任意の材料で作製することができ、任意の形状、任意のサイズ、任意の長さとすることができる。
【００２０】
図２Ａ及び図２Ｂでは、一般にヘッドと呼ばれる端部６と、通常はテールと呼ばれる反対側の端部７とを有する靴紐２及び靴紐３が示されている。穴４及びスリット５、５Ａは、靴紐２内の任意の位置に形成することができ、任意の形状及びサイズとすることができる。端部７には、任意の結び目を作ってもよいし、端部７を区別する及び／又は端部７の把持をより容易にする任意の他の物体を留めてもよい。
【００２１】
図２Ｃでは、２つの等しい端部６を特徴とする靴紐２の可能な一変形形態が示されている。その中心線によって軸Ａを取ると、双方の部分は軸に対して鏡像対称である。
【００２２】
図２Ｄでは、紐２の一変形形態が示されている。見て取ることができるように、スリット５の周囲の領域は方形であり、スリット５Ａの周囲の領域は円形である。この特定の設計は、使用者にとっての容易性の向上を可能にするとともに、靴紐２、３のより良好な交差を可能にする。
【００２３】
図２Ａ〜図２Ｄに示す事例では、穴４及びスリット５、５Ａは、靴紐２内の任意の位置に実施することができ、任意の形状及びサイズとすることができる。
【００２４】
図３Ａでは、靴紐２と靴紐３との摺動に作用を及ぼすか又は靴紐２とアッパーとの間の摺動に作用を及ぼすことで、靴紐２又は３の張力状態の係止又は係止解除を可能にする部品８が示されている。部品８は、基部９（部品を靴紐２若しくは３に又は靴１のアッパーに締結しやすい）と、ステム１０と、ヘッド１１とからなり、この部品８上で、同じ靴紐２（又は３）がそれ自体に又はもう一方の別個の靴紐３（又は２）に、選択された穴４を通して留められる。基部９は、部品を所望の支持体に締結することを可能にし、ステム１０は、円筒形であることが好ましく、ヘッド１１は、単に、靴紐の穴４に差し込まれると穴４からの離脱を防止することができるステム１０の増厚部である。部品８は、任意の材料から作製することができ、任意の形状及びサイズとすることができる。部品８は、金属材料から作製されることが好ましい。
【００２５】
図３Ｂは、靴紐−アッパー間の摺動を係止することが望まれる場合の部品８の取付けを示している。したがって、部品８は、ひいては符号１２によって示されているアッパー上に安定して留められている。
【００２６】
図３Ｃは、図３Ｂと同じ場合であるが、後続の係止ステップを示している。
【００２７】
代替的に、靴紐２−靴紐３間の摺動を係止することが望まれる場合、部品８は、（アッパー１２ではなく）靴紐２又は３に安定して留められ、ヘッド１１を伴うステム１０が、既存の穴４に対応して他方の靴紐３又は２を係止する。
【００２８】
図４Ａ〜図４Ｅでは、図１Ａ〜図１Ｃに示す実施形態の一変形形態が示されている。フットウェア１には、ソールと、アッパー１２と、アイレット１３と（これらのアイレット１３は、通常は単純な金属リングによって補強されている）が設けられている。アイレット１３は、靴紐２又は３と適合するのであれば、任意の形状（円形、正方形、矩形、三角形、不規則形等）及び任意のサイズとすることができる。まず、アッパー１２の左縁部に１つ及びアッパー１２の右縁部に１つの、少なくとも１対のアイレット１３を備えるフットウェア１の、図４Ａに記載の軸測投影図を参照する。この軸測投影図では、フットウェアのネックからチップに向かう方向に見た場合の、アイレット１３に対応して配されたフットウェア１の断面図の平面が示されている。
【００２９】
図４Ｂには、フットウェア１の断面図が示されている。
【００３０】
図４Ｃには、フットウェア１の断面を通して、靴紐２、３及び部品８を用いる本発明の主題の紐掛けシステムを実施する方法が示されている。
【００３１】
図４Ｄは、穴に対応して靴紐２に安定して留められる部品８及び穴に対応して靴紐３に安定して留められる別の部品８の使用を示している。
【００３２】
図４Ｅには、前述の図面において実施された紐掛けの端部において達成される構成が示されている。ここでは、双方の靴紐２、３とアッパー１２との間の摺動が防止され、したがって、伸張操作の後もこのような靴紐に与えられた張力が維持される。
【００３３】
こうして、フットウェア１用の紐掛けシステムであって、各靴紐２、３の一端部６を、まず上記アッパー１２にあるアイレット１３に通してから同じ靴紐２、３にあるスリット５Ａに通し、その他方の端部７を反対側に送ることによって、上記フットウェア１の閉鎖が達成され、アッパー１２の上記縁部上の上記把持点は、上記靴紐２、３の端部７（２）、６（３）；７（３）、６（２）である、フットウェア１用の紐掛けシステムが得られる。上記靴紐２、３のそれぞれは、別の靴紐３、２の端部６（２）、６（３）が靴紐３、２の第１のスリット５Ａに入るのと同時にこれらの端部６（２）、６（３）が通りやすい第２のスリット５を有することが好ましい。
【００３４】
図５Ａ、図５Ｂ、図５Ｃ、図５Ｄ、図５Ｅには、フットウェア１に取り付けられている、図１Ａ〜図１Ｃに示す実施形態の第２の変形形態が示されている。この変形形態では、フットウェア１は、アイレット１３に加えて、アイレット１３と並んだ第２の対のアイレット１４を有する。
【００３５】
図５に記載の軸測投影図では、フットウェアのネックからチップに向かう方向に見て実施された、アイレット１３、１４に対応して配されたフットウェア１の断面図の平面が示されている。
【００３６】
図５Ｂには、一般的なフットウェア１の断面図が記載されている。
【００３７】
図５Ｃには、フットウェア１の断面を通して、本発明の主題の靴紐２、３及び本発明の主題の部品８を用いる本発明の主題の紐掛けシステムを実施する方法が示されている。
【００３８】
図５Ｄは、靴紐２の端部６に安定して留められる部品８の使用及び靴紐３の端部６に安定して留められる別の部品８の存在を示している。
【００３９】
部品８の位置については、本発明の範囲から逸脱することなく当業者に利用可能な多くの変形形態がある。実際、図５Ｅには、部品８の位置の可能な一変形形態が記載されており、部品８は、具体的には、靴紐２では蝶結びに対応して、また靴紐３では穴に対応して、個々の靴紐に対して垂直に留められている。したがって、この操作は、図５Ｄに記載されているものと同様である。締結部品８は、靴紐２、３とアッパー１２との間の摺動を係止するために、アッパー１２の各縁部に締結されて、靴紐２、３の本体にある穴４と係合しやすいものとしてもよいし、少なくとも１つの靴紐２、３に締結されて、少なくとも１つの靴紐２、３又はアッパー１２にある少なくとも１つの穴４、３１と係合しやすいものとしてもよい。
【００４０】
図６Ａ〜図６Ｃには、３対のアイレット１３、１４、１５を有するフットウェア１に取り付けられている、図１Ａ〜図１Ｃに示す実施形態の第３の変形形態が示されている。図６Ａに記載の軸測投影図には、フットウェアのネックからチップに向かう方向に見た場合の、アイレット１３に対応して配されたフットウェア１の断面図の平面が示されている。
【００４１】
図６Ｂには、フットウェア１の断面図が記載されている。
【００４２】
図６Ｃには、フットウェア１の断面を通して、第３の靴紐１６の追加を伴って本発明の主題の靴紐２、３及び少なくとも１つの部品８を用いる本発明の主題の紐掛けシステムの実施態様が示されている。
【００４３】
図７Ａ〜図７Ｃには、本発明の第１の実施形態の更なる変形形態が概略的に示されている。この変形形態は、第１の実施形態の容易化された態様をなし、これまでに記載した変形形態のうちの任意のものと組み合わせることができる。上記で示した細部と等しい細部には、等しい参照符号が与えられている。靴紐２及び３は、アッパー１２にあるアイレット１３と、靴紐２及び３自体に含まれるスリットとを通過する。靴紐２、３の端部と形状結合によって係合する部品が、符号２８（アッパー上の靴紐の取付け部により近接している内側の部品）及び符号２９（アッパー上の靴紐の取付け部からより離れている外側の部品）で示されている。図７Ａ〜図７Ｃには、２対の部品２８、２９が示されている。これらの２つの部品２８は、靴紐２、３のうちの一方（図面の上側の靴紐）に締結され、図面で下側に位置する他方の靴紐３、２は、その中で摺動自在である。対照的に、部品２９は、図面で下側にあるものとして示す靴紐３、２（対応する部品２８では締結されていない）に締結され、図面で上方に位置するものとして示す靴紐２、３（対応する部品２８には締結されている）は、その中で摺動自在のままである。
【００４４】
図８Ａ及び図８Ｂには、第１の実施形態の第５の変形形態が示されており、ここでは、靴紐２、３の端部が、部品２８、２９の内側に歯止めのように係合するギザギザ状の領域３０を有する。
【００４５】
図９Ａ〜図９Ｃには、概略的な正面図で本発明の第２の実施形態が示されている。前述の図面に関して示した細部と等しい細部には、等しい参照符号が用いられる。
【００４６】
図９Ａには、靴紐２と、フットウェアのアッパーに締結される部品１７とを備える一般的なフットウェア１の概略正面図が示されている。各部品１７は、靴紐２の端部６を通すチャネルを有し、差し込み後に靴紐２と形状結合しやすい。図９Ａは、着用状態のフットウェア１を示している。
【００４７】
図９Ｂは、靴紐２の緩めステップ中の図９Ａと同様の図である。
【００４８】
図９Ｃは、図９Ａ及び図９Ｂと同様であるが、靴紐２の紐締めステップ中の図である。
【００４９】
図１０Ａ〜図１０Ｅには、図９Ａ〜図９Ｃに示すフットウェア１の実施形態に係る部品１７の実施形態のいくつかの変形形態が示されている。図１０Ａはその正面図を示しており、図１０Ｂはその側面図を示しており、図１０Ｃはその断面図を示している。
【００５０】
部品１７は、部材１８及び部材１９からなる。部材１８及び１９は、任意の形状とすることができるが、筒形部材であることが好ましい。部材１８及び１９は、金属（例えば、アルミニウム又はアルミニウム合金、鋼）又は必要な剛性及び機械的強度特性を呈するプラスチック材料から作製されることが好ましい。部品１７は、部材２０及び部材２１も備える。部材２０及び２１は、円い冠形（circular crown shape）とすることが好ましく、意図的に実施されている穴に対応して又は更には既存のアイレットに対応して、部品１７をフットウェア１のアッパー１２に留める役割を果たす。
【００５１】
本発明によれば、部材１８及び部材１９は靴紐２が通りやすくなっている（これに関しては図１０Ｃを参照）。この目的で、部材１８及び１９は底部及び頂部が開口している。
【００５２】
フットウェア１のアッパーとは反対側の部材１８の端部には、把持部材２２を設けることができる。そのような把持部材２２の形状は、本発明に関して限定するものではない。しかしながら、把持部材２２の形状は、部材１８を通る靴紐２の通過を妨げない（又は妨げが可能な限り最小限である）ことが好適である。
【００５３】
また、好ましくは周縁溝が設けられている円盤の形状であり、部材２１に安定して締結される部材２３を設けてもよい。部材２３は、その中央に、部材１９及び１８と位置合わせされている貫通穴２４（図１０Ｃを参照）を有し、貫通穴２４は、靴紐２の進入並びに部材１９及び次に部材１８内への通過を可能にする。部材２３は、存在する場合はいつでも、靴紐２の経路を逸らす機能を有する。部材２３には、部材２１の表面に締結されるリング２５を連結することもできる。リング２５は、部材１９へのそのアクセスを妨げることなく靴紐２を案内する役割を果たす。部材１８は少なくとも１つの歯付き溝２６及び１つの穴２７を有することが有利である（図１０Ｂを参照）。穴２７はねじ加工され得る。穴２７は、ねじ又はばねピストンの挿入を可能にする。部材１８、１９内の靴紐２の把持を容易にしやすい他の手段も等価に使用可能である。
【００５４】
図１０Ｄ及び図１０Ｅには、アッパー１２への部品１７の装着が示されている。
【００５５】
図１１Ａ〜図１１Ｃには、部品１７の一変形形態が概略的に示されている。
【００５６】
図１２Ａ〜図１２Ｃには、第２の実施形態の一変形形態が概略的に示されている。この事例は、図６Ａ〜図６Ｃに示すものと同様かつそれに対応するものである。この事例においても、３対のアイレット１３、１４、１５が、フットウェア１のアッパーに設けられている。単一の靴紐２が配され、図１０Ａ〜図１０Ｅ及び図１１Ａ〜図１１Ｃに示す部品１７に保持されている。
【００５７】
図１３及び図１４では、図１２Ａ〜図１２Ｃに記載の変形形態の２つの部分変形形態が示されている。図１３では、部品１７によって支持されているリング２５が見え、図１４では、部品１７は、その代わりに貫通穴２４を更に有する部材２３を支持している。
【００５８】
以下、本発明に係る紐掛けシステムの操作を記載する。
【００５９】
図１Ｂには、図１Ａと同じフットウェア１が仮想線で示されており、ここに本発明の主題の紐掛けシステムの操作が示されている。靴紐２、３は部品８から解放されているため靴紐２、３の摺動が自由であり、そのため単純な動作、すなわち上記靴紐２、３の端部７（２）及び７（３）を同時に反対方向に、フットウェア１の外側へ向かって引っ張ることによって、紐掛けが緩められる。この動作により、アッパー１２の縁部が広がって離れ、フットウェア１の開放が達成される。このような図は、紐掛けシステムが緩められて足を抜くことが可能な「非着用」ステップにおけるフットウェア１を示している。
【００６０】
図１Ｃでは、図１Ｂと同じフットウェア１が仮想線で示されており、ここに本発明の主題の紐掛けシステムの操作が示されている。単純な動作、すなわち上記靴紐２、３の端部６（２）及び６（３）を同時に反対方向に、フットウェアの外側へ向かって引っ張ることにより、アッパー１２の縁部を互いに近付けることによって、一般的なフットウェア１の紐掛けが締められる。それから、これらの２つの靴紐の穴４に部品８を収容することにより、靴紐の所望の張力状態を係止することが可能になる。図１Ｃは、図１Ａと同一の「着用」ステップを示している。ステム１０及び特にヘッド１１は、選択された穴４に対応して靴紐２（又は３）を係止することができる。それにより、靴紐２、３はしっかりと拘束され、フットウェア１を着用している場合、歩行中に靴紐２、３が緩むリスクがない。
【００６１】
図３Ｃには、靴紐−アッパー間の摺動を係止することを望む場合の部品８の取付けを示しており、アッパー１２に対する靴紐２の摺動が係止されているのが強調されている。
【００６２】
図４Ｃには、靴紐２及び３が辿る経路が記載されている。フットウェアの左縁部において、靴紐２の端部６（２）がまずフットウェアの内側から外側へ向かってアイレット１３に通され、それから靴紐２のスリット５Ａに通される。このような操作により、靴紐２がアッパー１２の左縁部にしっかりと係止される。それから、右縁部において、靴紐３の端部６（３）がまずフットウェアの内側から外側へ向かってアイレット１３に通され、それから靴紐３のスリット５Ａに通される。このような操作により、靴紐３がアッパー１２の右縁部にしっかりと係止される。この時点において、靴紐２の端部６（２）を靴紐３のスリット５に通すことができるか、又は靴紐３の端部６（３）を靴紐２のスリット５に通すことができる。したがって、靴紐２の端部６（２）が靴紐３のスリット５に通され、ひいては、靴紐２の端部６（２）が、靴紐３のスリット５Ａに挿入され、端部６（３）が、靴紐２のスリット５Ａに挿入される場合が考慮される。靴紐は、本発明の主題の設計において、紐掛けを緩める又は締めることを可能にする。実際、左右の縁部を互いに離間させるためには（ひいては靴の紐掛けを緩めて靴を履くか又は脱ぐためには）、以下の単純な動作が行われる。靴紐２の端部７（２）及び靴紐３の端部７（３）を同時に外側へ引っ張る。左右の縁部を互いに近付けるためには（ひいては靴の紐掛けを締めるためには）、以下の単純な動作が行われる。靴紐２の端部６（２）及び靴紐３の端部６（３）を同時に外側へ引っ張る。本特許の主題の紐掛けシステムは、左右の縁部が上述のように近付けられたら、その靴紐の張力を保証し、ひいては紐掛けの緩みを回避するために、部品８が存在するようになっている。
【００６３】
これに関して、図４Ｄでは、下にある部品８の位置のより近くで靴紐２の端部６（２）に配されている穴４（図２）が、部品８に留められているのを見て取ることができる。さらに、下にある部品８の位置のより近くで靴紐３の端部６（３）に配されている穴４が、部品８に留められている。
【００６４】
以下、図５Ｃに示す変形形態に係る靴紐２及び３が辿る経路を記載する。一方の縁部において、靴紐２の端部６（２）がまずフットウェアの外側から内側に向かってアイレット１３に通してからアイレット１４（内側から外側へ）に通され、それから靴紐２のスリット５Ａに通した後で、再びアイレット１３に（外側から内側へ）通される。この操作により、靴紐２が左縁部にしっかりと係止される。したがって、他方の縁部では、靴紐３の端部６（３）がまずフットウェアの外側から内側へアイレット１３に通してからアイレット１４に（内側から外側へ）通され、それから靴紐３のスリット５Ａに通した後で、再びアイレット１３に（外側から内側へ）通される。このような操作により、靴紐３が右縁部にしっかりと係止される。この段階において、靴紐２の端部６（２）を靴紐３のスリット５に通すことができるか、又は靴紐３の端部６（３）を靴紐２のスリット５に通すことができる。靴紐２の端部６（２）がひいては靴紐３のスリット５に通され、ひいては、靴紐２の端部６（２）が、靴紐３のスリット５Ａに挿入され、端部６（３）が靴紐２のスリット５Ａに挿入される場合が考慮される。
【００６５】
本発明の主題の設計における靴紐は、紐掛けを緩める又は締めることを可能にする。実際、左右の縁部を互いに離すためには（ひいては靴の紐掛けを緩めて靴を履くか又は脱ぐためには）、以下の単純な操作が行われる。すなわち、靴紐２の端部７（２）及び靴紐３の端部７（３）が同時に外側へ引っ張られる。
【００６６】
左右の縁部を近付けるためには（ひいては靴の紐掛けを締めるためには）、以下の単純な操作が行われる。すなわち、靴紐２の端部６（２）及び靴紐３の端部６（３）が同時に外側へ引っ張られる。本特許の主題の紐掛けシステムは、左右の縁部が上述したように近付けられたら、その靴紐の張力を保証し、ひいては紐掛けの緩みを回避するために、部品８が存在するようになっている。図５Ｄに見て取ることができるように、この段階において、端部６（２）は、部品８が靴紐２及び靴紐３の穴４（これらの穴は互いに重なっていなければならない）に入るまで回転され、端部６（３）も、部品８が靴紐３及び靴紐２の穴４（これらの穴は互いに重なっていなければならない）に入るまで回転される。このような構成では、靴紐２と靴紐３との間の摺動は阻止され、ひいては、引張り動作が行われた後、そのような靴紐にかかっている張力が維持される。
【００６７】
部品８は、靴紐２、３とアッパー１２との間の摺動を防止するために、アッパー１２に配されている穴３１に挿入することができる。
【００６８】
以下、図６Ｃを参照しながら、靴紐２、３及び１６が辿る経路を記載する。
【００６９】
左縁部において、靴紐３の端部が、まず靴の内側から外側へこれらの２つの縁部のうちのいずれか一方のアイレットに通され、次に、靴紐３のヘッドが、靴紐３のスリット５に通される。このような操作により、靴紐３が、縁部に、例えば左縁部にしっかりと係止される。他方の縁部において、靴紐１６の端部が、まず靴の内側から外側へアイレット１３に通され、次に、靴紐１６のヘッドが、靴紐１６のスリット５に通される。このような操作により、靴紐１６が、縁部に、例えば右縁部にしっかりと係止される。それから靴紐２が用いられて、その靴紐２の端部が、一方の縁部のアイレット１５に通してから反対側の縁部のアイレット１４に通され、それから一方の縁部のアイレット１３に通した後に、靴紐３のスリット５Ａ及び靴紐１６のスリット５Ａに通され、その一方で、他方の端部が、一方の縁部の反対側の縁部のアイレット１５に通してから一方の縁部のアイレット１４に通され、それから一方の縁部の反対側の縁部のアイレット１３に通した後に、靴紐１６のスリット５Ａ及び靴紐３のスリット５Ａに通される。
【００７０】
本発明の主題の設計における靴紐は、紐掛けを緩めたり締めたりすることを可能にする。実際、左右の縁部を互いに離すためには（ひいては靴の紐掛けを緩めて靴を履くか又は脱ぐためには）、以下の単純な動作が行われる。すなわち、靴紐３の端部及び靴紐１６の端部が同時に外側へ引っ張られる。
【００７１】
左右の縁部を近付けるためには（ひいては靴の紐掛けを締めるためには）、以下の単純な動作が行われる。すなわち、靴紐２の２つの端部が同時に外側へ引っ張られる。本特許の主題の紐掛けシステムは、左右の縁部が上述のように近付けられたら、その靴紐の張力を保証し、ひいては紐掛けの緩みを回避するために、部品８が存在するようになっている。
【００７２】
同じ図６Ｃにおいて、右縁部においてアッパーにしっかりと留められる部品８の使用が示されており、左縁部においてアッパーにしっかりと留められる別の部品８が存在するようになっている。この段階において、下にある部品の位置のより近くで靴紐２の端部に配されている穴４が、部品に留められ、同様に、下にある部品の位置のより近くで同じ靴紐２の他方の端部に配されている穴４が、部品に留められる。このような構成では、靴紐３と２との間及び靴紐１６と２との間の摺動が阻止され、ひいては、引張り動作が行われた後、そのような靴紐にかかっている張力が維持される。
【００７３】
図７Ａ〜図７Ｃに示す変形形態に関して、靴紐を締めることを望む場合、２つの部品２９を外側へ引っ張り、それにより靴紐２、３のうちの下側にある方の靴紐を外側へ引っ張りながら、ひいてはピン８を下側の靴紐にある穴４に挿入することにより、フットウェア１の閉鎖が係止される。
【００７４】
例えば靴を脱ぐために靴を再び開放したい場合は、靴紐２、３をピン８から持ち上げて、部品２８を外側へ引っ張る。これにより、アッパーの２つの縁部が広がって離れ、靴の開放が達成される。
【００７５】
それにより、２つの異なる隣接部品（２８及び２９）の同じ方向への摺動は、互いに反対の２つの動作（靴１の開放及び閉鎖）を意味する。
【００７６】
部品２８、２９は、例えば部品２８を或る色で製造するとともに部品２９を別の色で製造することにより、区別することができることが有利である。
【００７７】
図８Ａ及び図８Ｂに示す変形形態は、図７Ａ〜図７Ｃに示す変形形態と類似した操作を伴うが、係止は、部品８ではなく（この変形形態では部品８は存在しない）靴紐２、３の端部表面のギザギザ状の領域３０と部品２８との間で作動されるラチェット歯車によって達成される。
【００７８】
部品２８は、靴１の外側へ向かう下側の靴紐の摺動は可能にするが、反対方向の摺動は可能にしない内側フラップを有する。したがって、部品２９を外側へ引っ張るとき、下側の靴紐は、部品２８内を自由に通過する。この動作が止められ、靴紐が元に戻ろうとするとき、部品２８が靴紐を係止する。したがって、靴１を開放するためには、部品２８に働きかけてフラップを解放し、部品２８を外側へ摺動させることによって下側の靴紐２、３の摺動を可能にすることが必要である。
【００７９】
図８Ｂでは、靴紐の摺動を容易にするため、靴紐を部品２９内に進入させず、靴１のアッパー１２の上方での詰まり又は裂け目の形成のリスクを避けるために、靴紐は、部品２８の直後で切断されている。
【００８０】
以下、第２の実施形態に関する操作を記載する。これは、第１の実施形態及びその変形形態に関して示したものと非常に類似した操作である。
【００８１】
図９Ｂを参照する。部品１７の端部に働きかけると、まずそこに収容されている靴紐２の摺動の係止解除が達成され、このような部品１７を外側へ引っ張ることにより、靴１が緩められ、ひいては靴１が開放される。
【００８２】
図９Ｃには、逆の操作が示されている。靴紐２の反対側の端部を外側へ引っ張り、それから靴紐２を部品１７内で摺動させ、最終的に、部品１７に働きかけることで所望の張力及びひいては係止を得る。
【００８３】
以下、図１０Ａ〜図１０Ｅを参照する。部材１９、２０及び２１は、部品１７をアッパー１２に留めることを可能にする。部材１８、１９、２０及び２１には、靴紐２を通すことができる。靴紐２は、部材１９に挿通した後に部材１８に通され、穴２７に挿入される好適な手段（例えばボトルネック又はねじ又はばねピストンとすることができる）によって適所に保持される。この場合、このねじの圧力によって、所望の張力レベルでの靴紐２の係止が決まりし、このねじの圧力の除去によって、靴紐２の解放が決まる。それにより、誰が靴１を着用して歩行しても、靴紐は適所にしっかりと維持される。
【００８４】
図１０Ｄ及び図１０Ｅには、部品１７の装着が示されている。部材１８、１９、２１、２３がアッパー１２の縁部の穴３１に挿入され、円形部材２０によって係止される。
【００８５】
図１１Ａ〜図１１Ｃには、歯付き溝２６の使用が示されている。歯付き溝２６は、靴紐２を適所に所望の張力で保持する役割を果たす。
【００８６】
部品１７及びそのいくつかの構成部材の使用が、図１２Ａ〜図１２Ｃ並びに図１３及び図１４において特に明確に見て取れる。特に、図１２Ｃを参照すると、靴紐２は、捩れながらアイレット１３、１４及び１５を通る。靴紐２は、次に部品１７に入り、その頂部から外へ出て、部品１７において係止される。靴１の閉鎖を望む場合、靴紐２の端部を外側へ引っ張り、次に、同じ部品１７に設けられている好適な手段によって靴紐２を係止する。靴１の開放を望む場合、まず靴紐２の端部を解放し、それから把持部材２２を外側へ引っ張る。
【００８７】
図１３に示す変形形態に関しても同じ操作が達成される。この図により、靴紐２を反対側の部品１７内に案内することに関して部品１７に締結されたリング２５の使用を見て取ることができる。
【００８８】
図１４では、その代わりに、靴紐２の各端部が対応する部品１７に進入するのに通る穴２４を有する部材２３の機能を見て取ることができる。
【００８９】
本発明の範囲から逸脱することなく、多くの変形形態が当業者に利用可能であることが明らかである。
【００９０】
さらに、上述されたことに基づき、本発明は、産業用途とみなされるのに必要な特徴の全てを有することを指摘しておく。本発明は、素材、半製品から最終製品への加工作業によって達成することができる、広範に行き渡る経済的利益を示す製品を考案したものである。
【符号の説明】
【００９１】
１  フットウェア
２  （１の）靴紐
３  （１の）靴紐
４  （２又は３の）穴
５  （２又は３の）スリット
５Ａ  （２又は３の）スリット
６  （２又は３の）端部
６（２）  （２の）端部
６（３）  （３の）端部
７  （２又は３の）端部
７（２）  （２の）端部
７（３）  （３の）端部
８  （２又は３の）係止部品
９  （８の）基部
１０  （８の）ステム
１１  （８の）ヘッド
１２  アッパー
１３  （１の）アイレット
１４  （１の）アイレット
１５  （１の）アイレット
１６  （１の）靴紐
１７  （１の）部品
１８  （１７の）筒形部材
１９  （１９の）筒形部材
２０  （１７の）円形部材
２１  （１７の）円形部材
２２  （１７の）把持部材
２３  （１７の）円盤部材
２４  （２３の）穴
２５  （２３の）リング
２６  （１８の）歯付き溝
２７  （２６の）穴
２８  （２又は３の）開放用部品
２９  （２又は３の）閉鎖用部品
３０  （２又は３の）ギザギザ状の領域
３１  （１２の）穴
【図１Ａ】
2017523897.tif 000003
【図１Ｂ】
2017523897.tif 000004
【図１Ｃ】
2017523897.tif 000005
【図２Ａ】
2017523897.tif 000006
【図２Ｂ】
2017523897.tif 000007
【図２Ｃ】
2017523897.tif 000008
【図２Ｄ】
2017523897.tif 000009
【図３Ａ】
2017523897.tif 000010
【図３Ｂ】
2017523897.tif 000011
【図３Ｃ】
2017523897.tif 000012
【図４Ａ】
2017523897.tif 000013
【図４Ｂ】
2017523897.tif 000014
【図４Ｃ】
2017523897.tif 000015
【図４Ｄ】
2017523897.tif 000016
【図４Ｅ】
2017523897.tif 000017
【図５Ａ】
2017523897.tif 000018
【図５Ｂ】
2017523897.tif 000019
【図５Ｃ】
2017523897.tif 000020
【図５Ｄ】
2017523897.tif 000021
【図５Ｅ】
2017523897.tif 000022
【図６Ａ】
2017523897.tif 000023
【図６Ｂ】
2017523897.tif 000024
【図６Ｃ】
2017523897.tif 000025
【図７Ａ】
2017523897.tif 000026
【図７Ｂ】
2017523897.tif 000027
【図７Ｃ】
2017523897.tif 000028
【図８Ａ】
2017523897.tif 000029
【図８Ｂ】
2017523897.tif 000030
【図９Ａ】
2017523897.tif 000031
【図９Ｂ】
2017523897.tif 000032
【図９Ｃ】
2017523897.tif 000033
【図１０Ａ】
2017523897.tif 000034
【図１０Ｂ】
2017523897.tif 000035
【図１０Ｃ】
2017523897.tif 000036
【図１０Ｄ】
2017523897.tif 000037
【図１０Ｅ】
2017523897.tif 000038
【図１１Ａ】
2017523897.tif 000039
【図１１Ｂ】
2017523897.tif 000040
【図１１Ｃ】
2017523897.tif 000041
【図１２Ａ】
2017523897.tif 000042
【図１２Ｂ】
2017523897.tif 000043
【図１２Ｃ】
2017523897.tif 000044
【図１３】
2017523897.tif 000045
【図１４】
2017523897.tif 000046
【国際調査報告】
2017523897.tif 000047
2017523897.tif 000048
2017523897.tif 000049
2017523897.tif 000050
2017523897.tif 000051